(57)【要約】      （修正有）【課題】より良い疲労軽減、美容スキンケア効果を有するマッサージ器具を提供する。【解決手段】マッサージ器具は、本体１０とマッサージボール２０を含み、マッサージボールの体積の半分以上は本体に収納され、マッサージボールは本体に移動可能に接続され、マッサージボールは本体に対して回転可能であり、本体に発熱体１１がさらに設けられ、発熱体は発熱してマッサージボールを加熱する。マッサージボールが回転できるだけではなく、発熱体の発熱によりマッサージボールを加熱することで、マッサージ器具は、より良い疲労軽減、美容スキンケア効果を有することができる。【選択図】図２
0003227755.tif 000002
【実用新案登録請求の範囲】
【請求項１】
本体とマッサージボールを含み、前記マッサージボールの体積の半分以上は前記本体に収納され、前記マッサージボールは前記本体に移動可能に接続され、前記マッサージボールは前記本体に対して回転可能であり、前記本体に発熱体が設けられ、前記発熱体は発熱して前記マッサージボールを加熱することを特徴とするマッサージ器具。
【請求項２】
前記マッサージ器具は、ボールホルダ部をさらに含み、前記ボールホルダ部は前記本体に固定的に取り付けられ、前記ボールホルダ部の一端は前記マッサージボールに当接し、前記ボールホルダ部の他端は前記発熱体に当接することを特徴とする請求項１に記載のマッサージ器具。
【請求項３】
前記ボールホルダ部には、前記マッサージボールの形状に合わせた取付溝が設けられ、前記マッサージボールの一部は前記取付溝に収納され前記ボールホルダ部に移動可能に接続されることを特徴とする請求項２に記載のマッサージ器具。
【請求項４】
前記マッサージ器具は、回路基板がさらに含み、前記回路基板は前記本体に固定的に取り付けられ、前記発熱体は前記回路基板に取り付けられ前記回路基板に電気的に接続されることを特徴とする請求項２に記載のマッサージ器具。
【請求項５】
前記マッサージ器具は、電池をさらに含み、前記電池は前記本体に固定的に取り付けられ、前記電池が前記回路基板に電気的に接続されることを特徴とする請求項４に記載のマッサージ器具。
【請求項６】
前記マッサージ器具は、振動モータをさらに含み、前記振動モータは前記本体に固定的に取り付けられ、前記振動モータは前記回路基板に電気的に接続されることを特徴とする請求項４に記載のマッサージ器具。
【請求項７】
前記回路基板には、サーミスタがさらに設けられ、前記サーミスタは前記回路基板に電気的に接続され、前記サーミスタは前記ボールホルダ部に当接することを特徴とする請求項４に記載のマッサージ器具。
【請求項８】
前記マッサージ器具は、防水リングをさらに含み、前記防水リングは前記ボールホルダ部の周囲に嵌設され、前記防水リングは前記ボールホルダ部と前記本体の間に配置されることを特徴とする請求項２に記載のマッサージ器具。
【請求項９】
前記本体は、制限部をさらに含み、前記制限部は前記本体と係合して緊密な接続を形成し、前記制限部は手動で前記本体から取り外すことができ、前記マッサージボールの体積の半分以上は前記制限部内に収納され、前記制限部には、分解用の分解溝が設けられることを特徴とする請求項１に記載のマッサージ器具。
【請求項１０】
前記マッサージ器具は、ランプビードをさらに含み、前記ランプビードは前記本体に配置され、前記ランプビードによって発せられた光は、前記制限部を介して前記マッサージ器具の外部に伝達されることを特徴とする請求項９に記載のマッサージ器具。
【考案の詳細な説明】
【技術分野】
【０００１】
本考案は、美容器具の分野に関し、特にマッサージ器具に関する。
【背景技術】
【０００２】
マッサージ器具は、疲労軽減や美容スキンケアのための器具であり、既存のマッサージ器具はマッサージボールが固定されて回転できず、加熱できないため、マッサージ器具の疲労軽減、美容スキンケア効果が低下する。
【考案の概要】
【考案が解決しようとする課題】
【０００３】
上記の問題を解決するために、本考案は、マッサージボールの回転および加熱が可能であるマッサージ器具を提案する。
【０００４】
本考案は、以下の技術的解決策によって実現され得る。
【０００５】
本考案によって提案されるマッサージ器具は、本体とマッサージボールを含み、前記マッサージボールの体積の半分以上は前記本体内に収納され、前記マッサージボールは前記本体に移動可能に接続され、前記マッサージボールは前記本体に対して回転可能であり、前記本体に発熱体が設けられ、前記発熱体が発熱して前記マッサージボールを加熱する。
【０００６】
さらに、前記マッサージ器具は、ボールホルダ部をさらに含み、前記ボールホルダ部は前記本体に固定的に取り付けられ、前記ボールホルダ部の一端は前記マッサージボールに当接し、前記ボールホルダ部の他端は前記発熱体に当接する。
【０００７】
さらに、前記ボールホルダ部に、前記マッサージボールの形状に合わせた取付溝が設けられ、前記マッサージボールの一部は前記取付溝に収納され前記ボールホルダ部に移動可能に接続される。
【０００８】
さらに、前記マッサージ器具は、回路基板をさらに含み、前記回路基板は前記本体に固定的に取り付けられ、前記発熱体は前記回路基板に取り付けられて前記回路基板に電気的に接続される。
【０００９】
さらに、前記マッサージ器具は、電池をさらに含み、前記電池は前記本体に固定的に取り付けられ、前記電池は前記回路基板に電気的に接続される。
【００１０】
さらに、前記マッサージ器具は、振動モータをさらに含み、前記振動モータは前記本体に固定的に取り付けられ、前記振動モータは前記回路基板に電気的に接続される。
【００１１】
さらに、前記回路基板に、サーミスタがさらに設けられ、前記サーミスタは前記回路基板に電気的に接続され、前記サーミスタは前記ボールホルダ部に当接する。
【００１２】
さらに、前記マッサージ器具は、防水リングをさらに含み、前記防水リングは前記ボールホルダ部の周囲に嵌設され、前記防水リングは前記ボールホルダ部と前記本体の間に配置される。
【００１３】
さらに、前記本体は、制限部をさらに含み、前記制限部は前記本体と係合して緊密な接続を形成し、前記制限部は手動で前記本体から取り外すことができ、前記マッサージボールの体積の半分以上は前記制限部に収納され、前記制限部に分解用の分解溝が設けられる。
【００１４】
さらに、前記マッサージ器具は、ランプビードをさらに含み、前記ランプビードは前記本体に配置され、前記ランプビードによって発せられた光は前記制限部を介して前記マッサージ器具の外部に伝達される。
【００１５】
本考案の有益な効果は以下の通りである。
【００１６】
本考案によって提案されるマッサージ器具のマッサージボールは、回転するだけでなく、発熱体の発熱によってマッサージボールを加熱することで、マッサージ器具はより良い疲労軽減、美容スキンケア効果を有することができる。
【図面の簡単な説明】
【００１７】
【図１】本考案のマッサージ器具の断面図である。
【図２】図１のＡ箇所の拡大図である。
【図３】本考案のマッサージ器具の斜視図である。
【考案を実施するための形態】
【００１８】
本考案の技術的解決策をより明確かつ完全に説明するため、図面を参照して以下で本考案についてさらに説明する。
【００１９】
図１から図３を参照すると、本考案によって提案されるマッサージ器具は、本体１０とマッサージボール２０を含み、前記マッサージボール２０の体積の半分以上は前記本体１０に収納され、前記マッサージボール２０は前記本体１０に移動可能に接続され、前記マッサージボール２０は前記本体１０に対して回転可能であり、前記本体１０に発熱体１１が設けられ、前記発熱体１１が発熱して前記マッサージボール２０を加熱する。
【００２０】
本実施形態では、前記マッサージボール２０は金属材料で作られ、前記マッサージボール２０の体積の半分以上は前記本体１０に収納され、それによって前記マッサージボール２０が前記本体１０から脱出するのを防止し、前記マッサージボール２０は前記本体１０に対して回転可能であり、前記発熱体１１は発熱して前記マッサージボール２０を加熱し、使用する場合、回転・発熱可能な前記マッサージボール２０により、さらに良好に疲労軽減や美容スキンケア機能を果たし、前記マッサージ器具の疲労軽減や美容スキンケア効果がより良くなる。
【００２１】
さらに、前記マッサージ器具は、ボールホルダ部３０をさらに含み、前記ボールホルダ部３０は前記本体１０に固定的に取り付けられ、前記ボールホルダ部３０の一端は前記マッサージボール２０に当接し、前記ボールホルダ部３０の他端は前記発熱体１１に当接する。
【００２２】
本実施形態では、前記ボールホルダ部３０および前記マッサージボール２０は両方とも金属材料で作られ、前記ボールホルダ部３０は前記マッサージボール２０に当接し、前記マッサージボール２０は前記ボールホルダ部３０に対して回転可能であり、前記ボールホルダ部３０および前記マッサージボール２０は両方とも金属材料で作られるので、前記発熱体１１の熱を素早く前記ボールホルダ部３０に伝達でき、熱が前記ボールホルダ部３０を介して素早く前記マッサージボール２０に伝達されて前記マッサージボール２０を加熱する。
【００２３】
さらに、前記ボールホルダ部３０に、前記マッサージボール２０の形状に合わせた取付溝３１が設けられ、前記マッサージボール２０の一部は前記取付溝３１に収納され前記ボールホルダ部３０に移動可能に接続される。
【００２４】
本実施形態では、前記マッサージボール２０の一部は前記取付溝３１に収納され前記ボールホルダ部３０に移動可能に接続されるので、前記マッサージボール２０は前記ボールホルダ部３０に対して回転可能であり、前記取付溝３１は前記マッサージボール２０と前記ボールホルダ部３０の接触面積を増加させ、前記発熱体１１の熱が前記ボールホルダ部３０を介して素早く前記マッサージボール２０に伝達され得る。
【００２５】
さらに、前記マッサージ器具は、回路基板４０をさらに含み、前記回路基板４０は前記本体１０に固定的に取り付けられ、前記発熱体１１は前記回路基板４０に取り付けられ前記回路基板４０に電気的に接続され、前記マッサージ器具は電池５０をさらに含み、前記電池５０は前記本体１０に固定的に取り付けられ、前記電池５０は前記回路基板４０に電気的に接続される。
【００２６】
本実施形態では、前記マッサージ器具は前記電池５０から電力が供給され、前記発熱体１１は前記電池５０の電気エネルギーを消費することによって発熱する。
【００２７】
さらに、前記マッサージ器具は、振動モータ６０をさらに含み、前記振動モータ６０は前記本体１０に固定的に取り付けられ、前記振動モータ６０は前記回路基板４０に電気的に接続される。
【００２８】
本実施形態では、前記振動モータ６０の振動により前記本体１０が振動し、前記本体１０の振動によって前記マッサージボール２０が振動し、使用する場合、回転・発熱・振動可能な前記マッサージボール２０はより適切に疲労軽減や美容スキンケア機能を果たし、前記マッサージ器具の疲労軽減や美容スキンケア効果がより良くなる。
【００２９】
さらに、前記回路基板４０にサーミスタ４１がさらに設けられ、前記サーミスタ４１は前記回路基板４０に電気的に接続され、前記サーミスタ４１は前記ボールホルダ部３０に当接する。
【００３０】
本実施形態では、前記サーミスタ４１は前記ボールホルダ部３０の前記マッサージボール２０から離れた一端に当接し、前記ボールホルダ部３０の熱を素早く前記サーミスタ４１に伝達でき、前記発熱体１１に電源が投入されて発熱する過程で、前記サーミスタ４１の温度が設定値よりも高くなると、前記回路基板４０の電源がオフになり、前記発熱体１１は動作を停止する。
【００３１】
さらに、前記マッサージ器具は防水リング７０をさらに含み、前記防水リング７０は前記ボールホルダ部３０の周囲に嵌設され、前記防水リング７０は前記ボールホルダ部３０と前記本体１０の間に配置される。
【００３２】
本実施形態では、前記防水リング７０により、前記ボールホルダ部３０と前記本体１０間の隙間がなくなり、前記回路基板４０、前記ランプビード８０、前記サーミスタ４１、前記発熱体１１および前記電池５０のそれぞれが前記防水リング７０の底部に設けられているので、ユーザが美容液とともに前記マッサージ器具を使用するとき、前記防水リング７０は美容液と前記回路基板４０、前記ランプビード８０、前記サーミスタ４１、前記発熱体１１および前記電池５０との接触を防止でき、ユーザが美容液とともに前記マッサージ器具を使用しても前記マッサージ器具を損傷しないことを保証する。
【００３３】
さらに、前記本体１０は制限部１２をさらに含み、前記制限部１２は前記本体１０と係合して緊密な接続を形成し、前記制限部１２は手動で前記本体１０から取り外すことができ、前記マッサージボール２０の体積の半分以上は前記制限部１２に収納され、前記制限部１２に分解用の分解溝１２１がさらに設けられる。
【００３４】
本実施形態では、ユーザが前記分解溝１２１を介して前記制限部１２を前記本体１０から取り外す場合、前記マッサージボール２０を前記制限部１２から容易に取り外すことができ、ユーザは前記制限部１２、前記マッサージボール２０および前記ボールホルダ部３０を清掃でき、前記マッサージボール２０は前記制限部１２に移動可能に接続され、前記マッサージボール２０は前記制限部１２に対して回転可能である。
【００３５】
さらに、前記マッサージ器具はランプビード８０をさらに含み、前記ランプビード８０は前記本体１０に配置され、前記ランプビード８０によって発せられた光は前記制限部１２を介して前記マッサージ器具の外部に伝達される。
【００３６】
本実施形態では、前記制限部１２は導光材で作られ、前記ランプビード８０によって発せられた光は前記制限部１２を介して前記マッサージ器具の外部に伝達され、前記マッサージ器具はユーザに対して光線療法を行い、前記ランプビード８０は前記回路基板４０に電気的に接続される。
【００３７】
もちろん、本考案は他の様々な実施形態で実施することもでき、当業者が本実施形態を基に創造的な労働をせずに得られたすべての他の実施形態は、本考案の保護範囲に含まれる。
【図１】
0003227755.tif 000003
【図２】
0003227755.tif 000004
【図３】
0003227755.tif 000005